(57)【要約】【課題】  外部装置と計量器間の無線通信における通信の確実性を向上した無線検針システムを提供することができるようにする。【解決手段】  無線電波による通信を行う際に、外部装置１５０から計量器本体１００に対し、光を照射し、無線電波の指向性に合致した方向の光のみを受光部１０７にて受光し、受光したことを操作者に報知することにより、作業者が無線電波の伝送に適した計量器本体１００に対する外部装置１５０の位置・角度を検出できるようにした。【選択図】  図１
2008033510.tif 000002
【特許請求の範囲】
【請求項１】
計量器から送信された計量値データを無線電波にて受信する受信手段と、計量器に可視光
を送出する光送出手段とを具備した外部装置と、被測定対象の使用量を計量する計量手段
と、前記計量手段により作成された計量値データを前記外部装置の受信手段に無線電波に
て送信する送信手段と、前記外部装置の光送出手段から送出された前記送信手段から送信
される電波の指向性と一致した方向からの光を受ける受光手段とを具備した計量器とを有
することを特徴とする無線検針システム。
【請求項２】
計量器から送信された計量値データを無線電波にて受信する受信手段と、計量器に可視光
、赤外光または紫外光のうちの少なくとも一つを送出する光送出手段とを具備した外部装
置と、被測定対象の使用量を計量する計量手段と、前記計量手段により作成された計量値
データを前記外部装置の受信手段に無線電波にて送信する送信手段と、前記外部装置の光
送出手段から送出された前記送信手段から送信される電波の指向性と一致した方向からの
光を受光する受光手段と、前記受光手段が受光した場合に表示を行う表示手段とを具備し
た計量器とを有することを特徴とする無線検針システム。
【請求項３】
前記計量器の計量値データを送信する送信手段は無線ＩＣタグであることを特徴とする請
求項１または２記載の無線検針システム。
【請求項４】
前記計量器の計量値データを送信する送信手段は、前記計量器筐体の表示用開口部に配置
されたことを特徴とする請求項１乃至３のいずれか１項記載の無線検針システム。
【請求項５】
前記計量器の計量手段は、被測定対象の使用される機器ごとに計量値データを作成するこ
とを特徴とする請求項１乃至４のいずれか１項記載の無線検針システム。
【請求項６】
前記計量器の計量手段は、一ヶ月ごとに計量値データを作成することを特徴とする請求項
１乃至５のいずれか１項記載の無線検針システム。
【発明の詳細な説明】
【技術分野】
【０００１】
本発明は被測定系の使用量等、供給情報に関するデータを取得する無線検針システムに関
する。
【背景技術】
【０００２】
従来より、一般家庭や工場、事業所の使用ガス量、使用電力量、使用水量を測定する計量
器が普及している。当該計量器は、被測定系の使用ガス量、使用電力量、使用水量を測定
する使用量検出手段と、使用量検出手段で検出した使用量をデータに編集する制御部と、
制御部にて編集されたデータを表示する表示部とを具備している。  
【０００３】
また、データを収集する方法としては計量器外部に無線ＩＣタグを具備し当該無線ＩＣタ
グに必要なデータをハンディターミナル等により人手により記憶させておく検針システム
（例えば特許文献１）や、計量器の内部または外部に無線ＩＣタグを設けておき必要なデ
ータを記憶しておく計量器がある（例えば特許文献２）。
【特許文献１】特開２００３−３２３６８６公報（第６頁、図１）
【特許文献２】特開２００１−１４７１４４公報（第５頁、図１）
【発明の開示】
【発明が解決しようとする課題】
【０００４】
計量器は民家の壁面等に設置されているが、設置状況により検針を行う人間が計量器に接
近できない場合がある。無線検針システムは計量器のデータを遠隔にて読み出すことが可
能であるが、無線通信を行う電波の出力は微弱であり無線ＩＣタグ等を用い無線によりデ
ータ伝送を行う場合、電波の指向性により通信が成功しない場合があるという問題点があ
った。  
【０００５】
本発明は、外部装置と計量器間の無線通信における通信の確実性を向上した無線検針シス
テムを提供することを目的とする。
【課題を解決するための手段】
【０００６】
上記目的を達成するために、本発明による無線検針システムは、計量器から送信された計
量値データを無線電波にて受信する受信手段と、計量器に可視光を送出する光送出手段と
を具備した外部装置と、被測定対象の使用量を計量する計量手段と、前記計量手段により
作成された計量値データを前記外部装置の受信手段に無線電波にて送信する送信手段と、
前記外部装置の光送出手段から送出された前記送信手段から送信される電波の指向性と一
致した方向からの光を受ける受光手段とを具備した計量器とを有することを特徴とする。
【発明の効果】
【０００７】
本発明によれば、計量器本体の電波受信に適した、外部装置の位置を作業者に認識させる
ことが可能なため、外部装置と計量器本体間の無線通信における通信の確実性を向上させ
た無線検針システムを提供することができる。
【発明を実施するための最良の形態】
【０００８】
以下、本発明の実施例を説明する。
【実施例１】
【０００９】
本発明による無線検針システムの実施例１について図１を参照して説明する。  
【００１０】
１００は計量器本体でガスメータ、電力量計、水道メータのような計量器がこれに相当す
る。  １０１は使用量検出部で、超音波をガス流に重畳させその超音波の伝播時間からガ
ス流速を求めガス流量を算出するガス量検出装置等により構成され、ガス流量を検出し電
気信号に変換する。なお、電力量計の場合は電力量検出装置により構成されており、外部
から供給される電圧、負荷側で使用される使用電流を検出し、乗算し電力量に対応した電
気信号に変換する。また、水道メータの場合は水量検出装置により構成され、水量を検出
し電気信号に変換する。  
【００１１】
１０２は時刻識別手段で、時計回路により構成され、水晶発振等によるクロックパルスを
計数し年月日時分秒の時刻データを作成する。  
【００１２】
１０３は記憶手段でＲＡＭのような半導体メモリにより構成され、後述する計量値データ
を記憶する。  
【００１３】
１０４は表示部で液晶表示器等により構成されており、後述する計量値データおよびフラ
グを表示する。  
【００１４】
１０５は入出力手段で、シリアル信号送受信回路等により構成され、後述する無線ＩＣタ
グ１０６に対し後述する計量値データの書き込み、ならびに送信要求信号の読み出しを行
う。  
【００１５】
１０６は送信手段としての無線ＩＣタグで、電波によりデータの呼び出しができる不揮発
性半導体メモリ等で構成され、後述する計量値データを記憶する。当該計量値データはシ
リアルデータ等にて入出力手段１０５を介し後述する制御部１０８により書き込まれ、後
述する電波送受信機能を持つ外部装置１５０により、外部から電波にて読み出される。  
【００１６】
１０７は受光部で、例えばフォトトランジスタのような光を検知することができる半導体
等からなる受光素子により構成されており、後述する電波送受信機能を持つ外部装置１５
０から送出された光を受光する。受光手段１０７は無線ＩＣタグ１０６から送信される電
波の指向性と一致した方向からのみの光を受光できるように、受光素子の周囲に円筒形等
の光遮蔽構造を有する。  
【００１７】
１０８は制御部でマイクロコンピュータ等により構成され、使用量検出部１０１により検
出された使用量をもとに計量値データを作成する。ここで計量値データとは使用ガス量、
使用電力量、使用水量等、使用量の総和である総積算値、時間帯毎の使用量である時間帯
計量値、時間帯ごとの各機器毎の使用量である機器別計量値をいう。また、制御部１０８
は計量値データを表示部１０４に表示させる。さらに、制御部１０８は受光部１０７から
信号を受信した場合、表示部１０４に電波の指向性が一致したことを表わすフラグを表示
させる。さらに、無線ＩＣタグ１０６にデータの伝送を要求する伝送要求信号の書き込み
があった場合は、計量値データを入出力手段１０５を介し、無線ＩＣタグ１０６に記憶さ
せる。  
【００１８】
１５０は電波送受信機能を持つ外部装置でハンディターミナル等がこれにあたる。  
【００１９】
１５１は操作部でキーボードスイッチ等により構成され、操作者により外部から操作され
る。  
【００２０】
１５２は発光部で発光ダイオードやレーザーダイオード等により構成され、可視光、また
は赤外光、紫外光を計量器本体１００に照射する。当該照射される光が計量器本体１００
の受光部１０７に当たった場合、電波の指向性からみた計量器本体１００と外部装置１５
０の位置関係が適切となるように当該発光部１５２は外部装置１５０に配置されている。
【００２１】
１５３はタグ伝送部で無線電波送受信回路により構成され、後述する制御部１５５に制御
され、電波を送出し計量器本体１００内の無線ＩＣタグ１０６に伝送要求信号を書き込み
、無線ＩＣタグ１０６内の計量値データを読み出す。  
【００２２】
１５４は記憶部でＲＡＭのような半導体メモリにより構成され、後述する制御部１５５が
タグ伝送部１５３を介し、計量器本体１００内の無線ＩＣタグ１０６から取得した計量値
データを記憶する。  
【００２３】
１５５は制御部でマイクロコンピュータ等から構成され、操作部１５１からの入力信号に
基づき、計量器本体１００に対し光を発光するように発光部１５２を、計量器本体１００
内の無線ＩＣタグ１０６との間で伝送要求信号を送信し計量値データを受信するようにタ
グ伝送部１５３を、計量器本体１００内の無線ＩＣタグ１０６から受信した計量値データ
を記憶するように記憶部１５４を制御する。  
【００２４】
次に、計量器本体１００内の無線ＩＣタグ１０６の内部構成詳細について図２を参照して
説明する。  
【００２５】
２０１はアンテナで、電波送受信機能を持つハンディターミナル等の外部装置１５０と電
波信号の送受信を行う。２０２は送受信部で、アンテナ２０１を介し、外部装置１５０か
ら送信される送信要求信号を受信し、後述する記憶部２０３が記憶している計量値データ
を電波にて送信する。  
【００２６】
２０３は記憶部で不揮発性のメモリ、例えば強誘電メモリ（Ｆ−ＲＡＭ）等により構成さ
れ、計量値データを記憶する。  
【００２７】
２０４は制御回路で半導体からなる回路により構成され、記憶部２０３から入出力手段１
０５へのデータ読み出し、入出力手段１０５からの記憶部２０３へのデータ書込みを行っ
ている。  
【００２８】
送受信部２０２が電波送受信機能を持つハンディターミナル等の外部装置１５０から電波
にて送出された送信要求信号を受信した場合、制御回路２０４は記憶部２０３に当該送信
要求信号を記憶させる。また、制御回路２０４は計量器本体１００内の制御部１０８によ
り入出力手段１０５を介して記憶させられた計量値データを送出するよう制御する。これ
らのデータは外部装置１５０に対し電波にて送受信部２０２、アンテナ２０１を介して送
出される。  
【００２９】
次に、本実施例の動作を、図３を参照しつつ、説明する。ここで図３に示すプログラムは
図１における計量器本体１００内の制御部１０８内の図示しないプログラムメモリ内に記
憶されており、制御部１０８の動作を制御している。  
【００３０】
制御
部１０８は使用量検出部１０１から需要家の使用量に関する信号を受け、計量値データを
逐次作成し記憶手段１０３に記憶させるとともに表示部１０４に表示させる（ステップ３
０１）。ここで計量値データとは使用ガス量、使用電力量、使用水量等、使用量の総和で
ある総積算値、時間帯毎の使用量である時間帯計量値、時間帯ごとの各機器毎の使用量で
ある機器別計量値をいう。  
【００３１】
総積算値は使用量検出部１０１にて検出される使用量を積算することにより算出される。
【００３２】
時間帯計量値は、例えば１日を複数の時間帯に分割し、各時間帯ごとに使用量検出部１０
１にて検出される使用量を積算することにより算出される。  
【００３３】
機器別計量値は、例えば１日を複数の時間帯に分割し、各時間帯ごとの使用量検出部にて
検出される使用量を、機器別に積算することにより算出される。例えば、使用ガス量を計
量するガスメータの場合、ガスコンロ、ガス給湯器、ガスヒーター等各機器ごとに使用量
が算出される。なお、当該機器別計量値は各機器の使用量、使用継続時間、稼動または停
止時間等の使用パターンから当該機器の使用の有無を判断し、使用量として算出される。
【００３４】
計量器本体１００からの外部装置１５０への計量値データの伝送は、操作者が計量器本体
１００の近傍にて外部装置１５０の操作部１５１を操作することにより行われる。操作者
は計量器本体１００内の無線ＩＣタグ１０６と、外部装置１５０内のタグ伝送部１５３が
電波にて通信可能な距離内にて当該作業を行う。操作者は外部装置１５０の操作部１５１
を操作し、制御部１５５に対し発光部１５２から光を照射するよう指示する入力を行う。
すると指示を受けた制御部１５５は発光部１５２から光を発するよう発光部１５２を制御
する。当該発光部１５２は可視光、赤外光、紫外光のうちいずれか１つの光を発光する。
受光部１０７は計量器本体１００に、発光部１５２は外部装置１５０に、それぞれ、外部
機器１５０の発光部１５２から発せられた光が計量器本体１００の受光部１０７に照射さ
れた場合に、電波の指向性から見た無線ＩＣタグ１０６とタグ伝送部１５３の位置関係が
良好となるような位置ならびに角度にて取付けられている。作業者は外部機器１５０の発
光部１５２から照射された光が、計量器本体１００の受光部１０７に照射されるような位
置、角度に外部装置を保持して無線電波による通信にて計量データを取得する。  
【００３５】
可視光の場合、図４に示すように計量器本体１００に指標４０１を設けておき、作業者は
当該指標を目印に外部装置１５０の発光部１５２からの光を照射する。なお、受光部１０
７が指標４０１を兼ねていても構わない。  
【００３６】
無線ＩＣタグ１０６は外部装置１５０からの電波を受信しやすいように、当該指標４０１
または受光部１０７の近傍に配置されている。計量器本体１００の筐体が金属製の場合な
どは計量器本体１００内に電波は入り難い。しかし表示部の開口部付近、もしくは液晶表
示器等の表示装置の裏側に電波送受信手段としての無線ＩＣタグ１０６が配置されていれ
ば、電波は遮蔽されずに送受信される。  
【００３７】
計量器本体１００内の制御部１０８は、受光部１０７が外部機器１５０の発光部１５２か
ら発せられる光を受光したかの判断を行い（ステップ３０２）受光したと判断した場合、
受光フラグを表示部１０４に点灯させる（ステップ３０３）。一方、受光しなったと判断
した場合、受光フラグを消灯させる（ステップ３０４）。なお、受光フラグとは、外部機
器１５０の発光部１５２から発せられる光を受光したことを報知するフラグで、たとえば
表示部１０４の液晶表示や発光ダイオードによる表示をいう。なお、外部機器１５０の発
光部１５２から発せられる光は単に可視光、赤外光または紫外光であっても構わないが、
シリアルデータによるコードを有するものであってもよい。  
【００３８】
当該受光フラグは、計量器本体１００内のＩＣタグ１０６と外部機器１５０内の無線タグ
伝送部１５３の電波の指向性に関する位置関係が良好であることを示す。  
【００３９】
次に操作者は外部装置１５０の操作部１５１を操作し、制御部１５５に対し計量値データ
を計量器本体から取得するよう指示するよう入力する。すると指示を受けた制御部１５５
は、タグ伝送部１５３を制御し、電波にて送信要求信号を発する。すると当該送信要求信
号は計量器本体１００内無線ＩＣタグ１０６の記憶部２０３にアンテナ２０１、送受信部
２０２を介し記憶される。  
【００４０】
計量器本体１００内の制御部１０８は、無線ＩＣタグ１０６内の記憶部２０３に送信要求
信号が記憶されているかを確認することにより、データ送信要求信号を受信したかの判断
を行い（ステップ３０５）、受信したと判断した場合は、記憶手段１０３に記憶されてい
る計量値データを無線ＩＣタグ１０６に記憶させる（ステップ３０６）。外部装置１５０
内の制御部１５５はタグ伝送部１５３を介し、計量器本体１００内の無線ＩＣタグ１０６
から計量値データを電波にて読み出し、記憶部１５４に記憶させる。その後、計量器本体
１００内の制御部１０８は、無線ＩＣタグ１０６内に記憶されている送信要求信号を消去
する（ステップ３０７）。  
【００４１】
本実施例を用いれば、外部装置１５０からの光が計量器本体１００の受光部１０７に照射
された場合、無線通信における外部装置１５０と計量器本体１００との位置が良好となる
ため、電波受信に適した外部装置の位置を作業者に認識させることが可能であり、外部装
置と計量器本体間の無線通信における通信の確実性を向上させた無線検針システムを提供
することが可能である。
【図面の簡単な説明】
【００４２】
【図１】本発明による無線検針システムの構成を示す構成図
【図２】本発明による無線検針システムの計量器本体にかかるＩＣタグの構成を示す内部構成図
【図３】本発明による実施例１のプログラムフロー図
【図４】本発明による無線検針システムの構成を示す構成図
【符号の説明】
【００４３】
１００    計量器本体１０１    使用量検出部１０２    時刻識別手段１０３    記憶手
段１０４    表示部１０５    入出力手段１０６    ＩＣタグ１０７    受光部１０８  
制御部１５０    外部装置１５１    操作部１５２    発光部１５３    タグ伝送部１
５４    記憶部１５５    制御部２０１    アンテナ２０２    送受信部２０３    記憶
部２０４    制御回路
【図１】
2008033510.tif 000003
【図２】
2008033510.tif 000004
【図３】
2008033510.tif 000005
【図４】
2008033510.tif 000006